(57)【要約】【課題】第１の走査ユニットを原稿読取装置より取り外すことなく、回路基板〔インバータ基板及びインバータ基板接続部品を簡単に着脱交換できるようにした原稿読取装置およびその回路基板装着方法を提供する。【解決手段】基台１１３ｉに少なくとも露光ランプ１１３ａと反射ミラー１１３Ａと露光ランプ１１３ａを点灯させる回路基板１１３ｅを備えた第１の走査ユニット１１３により原稿を照明しつつ走査し、前記原稿からの反射光を反射ミラー１１３Ａで光電変換部１１６に導き原稿の画像を読取るように構成され、かつ、回路基板１１３ｅが反射ミラー１１３Ａの反射光路とは反対側に配設されている画像読取装置において、回路基板１１３ｅが、前記反射光路と反対側から基台１１３ｉに挿入され、基台１１３ｉに固定される。【選択図】  図３
2004350207.tif 000002
【特許請求の範囲】
【請求項１】
基台に少なくとも露光ランプと反射ミラーと前記露光ランプを点灯させる回路基板を備えた第１の走査ユニットにより原稿を照明しつつ走査し、前記原稿からの反射光を前記反射ミラーで光電変換部に導き原稿の画像を読取るように構成された画像読取装置において、
前記基台における前記反射ミラーの反射側とは反対側に、前記回路基板を固定するための基板取付位置が設けられ、
前記回路基板が、前記基台における前記反射ミラーの反射側から前記基板取付位置に挿入されて該基板取付位置に固定されることを特徴とする原稿読取装置。
【請求項２】
前記第１の走査ユニットから前記光電変換部に至る反射光路中に、原稿からの反射光を反射部材で偏向させ前記第１の走査ユニットの移動速度と関連する速度にて移動する第２の走査ユニットを備えていることを特徴とする請求項１記載の原稿読取装置。
【請求項３】
前記基台の基板取付位置には、前記回路基板を仮置きし、かつ、上方より固定部材により前記回路基板を前記基板取付位置に対して固定するための突起部が設けられていることを特徴とする請求項１または２に記載の原稿読取装置。
【請求項４】
前記回路基板を固定するための突起部を前記基台を構成する２壁面より形成し、前記回路基板が前記基台における反射光路の反対側に設けた切欠き部より、前記第１の走査ユニットの前記基台に挿入され、その後、更に上記挿入方向とは異なった方向に前記回路基板が挿入されるように構成したことを特徴とする請求項１ないし３のいずれかに記載の原稿読取装置。
【請求項５】
前記基台の裏面側に前記回路基板が設けられ、かつ、前記回路基板の下方が開放されていることを特徴とする請求項１ないし４のいずれかに記載の原稿読取装置。
【請求項６】
前記回路基板は裏向き状態にて前記基板取付位置に固定されることを特徴とする請求項１ないし５のいずれかに記載の原稿読取装置。
【請求項７】
前記回路基板は、その電気部品実装側が、露出された状態にて、前記基板取付位置に対して固定されることを特徴とする請求項６に記載の原稿読取装置。
【請求項８】
前記基台の前記回路基板と対向する部分には、開口部を設けていることを特徴とする請求項１ないし７のいずれかに記載の原稿読取装置。
【請求項９】
基台に少なくとも露光ランプと反射ミラーと前記露光ランプを点灯させる回路基板が備えられ、走査手段により原稿を照明しながら走査し、前記原稿からの反射光を前記反射ミラーで光電変換部に導き原稿の画像を読取るように構成される画像読取装置の前記回路基板の装着方法であって、
前記走査手段をメンテナンス位置に移動させた状態にて、前記回路基板を、前記基台における前記反射ミラーの反射側から前記基台に挿入し、前記基台における前記反射ミラーの反射側とは反対側に設けられた基板取付位置に前記回路基板を固定することを特徴とする原稿読取装置の回路基板装着方法。
【発明の詳細な説明】
【０００１】
【発明の属する技術分野】
本発明は、スキャナやデジタル複写機等の原稿読取装置およびその回路基板の装着方法に係り、特に、第１の走査ユニットの露光ランプにより原稿を露光し、原稿からの反射光像を第１及び第２の走査ユニットに設けられた反射部材により反射させ、結像レンズを通して原稿からの反射光を光電変換素子であるＣＣＤラインセンサ上に結像させ、かつ、第１及び第２の走査ユニットをＣＣＤラインセンサに対して直角な方向に走査することにより原稿を読取るようにした原稿読取装置およびその回路基板の装着方法に関する。
【０００２】
【従来の技術】
従来、デジタル複合機等の原稿読取装置は、原稿台の下部に配置され、原稿台上に載置された原稿の画像を走査して読み取るように構成され、第１の走査ユニット、第２の走査ユニット、結像レンズ、および、光電変換素子であるＣＣＤラインセンサを有している（例えば、特許文献１，２，３参照。）。
【０００３】
第１の走査ユニットの基台には、原稿面上を露光する露光ランプユニットと、原稿からの反射光像を所定の方向に反射させる第１ミラー、露光ランプを点灯させるインバータ基板等から構成され、第２の走査ユニットは、第１ミラーから反射されてくる原稿からの反射光を光電変換素子であるＣＣＤラインセンサに導く第２ミラーおよび第３ミラーが搭載されている。
【０００４】
結像レンズは、原稿からの反射光をＣＣＤラインセンサに結像させる。また、インバータ基板は、第１の走査ユニットの基台に対して下方よりネジ等の固定部材により固定されるように構成されている。
【０００５】
【特許文献１】
特開平６−３０８６２７号公報（図１，段落「００１７」）
【０００６】
【特許文献２】
特開昭６１−１０５９６０号公報（第２図，第３図）
【０００７】
【特許文献３】
特開昭６１−５０４５９号公報（第２図）
【０００８】
【発明が解決しようとする課題】
しかしながら、上記従来の構成では、以下のような問題が生じる。すなわち、インバータ基板は、第１の走査ユニットの基台に対し、下方よりネジ等の固定部材により固定されるため、インバータ基板及びインバータ基板等を交換する際には、第１の走査ユニットを原稿読取装置から取り外さなければならず、交換作業が煩雑であった。
【０００９】
また、インバータ基板の脱着の際に、第１の走査ユニットを裏返した時にランプや反射板等を傷つけたり、インバータ基板取付時にミラーに疵が付いたり、汚れが付着することがあった。更に、第１の走査ユニットの脱着作業によりその他の光学部品との対応位置関係が変化し、読取ラインが変化して、読取画像に歪が発生したり、解像度の低下を招くこともあった。
【００１０】
このような不具合の発生を防止するために、第１の走査ユニットを原稿読取装置から取り外すことなく、特殊なドライバー等の治具を使用して、インバータ基板を固定する固定ネジを横方向から緩め脱着作業を行う場合には、作業性がよくないだけでなく、治具により第１及び第２の走査ユニットのミラー等に疵や汚れをつける虞があり、これにより、読取画像品位が低下するという問題があった。
【００１１】
本発明は、このような実情に鑑みてなされ、第１の走査ユニットを原稿読取装置より取り外すことなく、回路基板〔インバータ基板及びインバータ基板接続部品（  ランプ、インバータ基板駆動用ハーネス等）  〕を簡単に着脱交換できるようにした原稿読取装置およびその回路基板装着方法を提供することを目的とする。
【００１２】
【課題を解決するための手段】
本発明は、上述の課題を解決するための手段を以下のように構成している。
【００１３】
（１）基台に少なくとも露光ランプと反射ミラーと前記露光ランプを点灯させる回路基板を備えた第１の走査ユニットにより原稿を照明しつつ走査し、前記原稿からの反射光を前記反射ミラーで光電変換部に導き原稿の画像を読取るように構成された画像読取装置において、
前記基台における前記反射ミラーの反射側とは反対側に、前記回路基板を固定するための基板取付位置が設けられ、前記回路基板が、前記基台における前記反射ミラーの反射側から前記基板取付位置に挿入されて該基板取付位置に固定されることを特徴とする。
【００１４】
この構成においては、原稿読取装置から基台を取り外さずに、基板取付位置に取り付けられた回路基板（インバータ基板）の交換及び回路基板との接続部品（例えば、コネクタ、ハーネス等）を取り外すことが可能であり、その時に反射ミラーの反射光路の反対側で回路基板の基台に対する挿脱作業を行うことができるので、反射ミラーへの疵付きを防止できる。また、基台そのものを原稿読取装置から取り外さなくても交換作業をおこなうことができるので、原稿面から光電変換部までの光路長が変化しないため、再度、光路長の調整をする必要がない。したがって、作業時間を大幅に短縮できる。
【００１５】
（２）前記第１の走査ユニットから前記光電変換部に至る反射光路中に、原稿からの反射光を反射部材で偏向させ前記第１の走査ユニットの移動速度と関連する速度にて移動する第２の走査ユニットを備えていることを特徴とする。
【００１６】
この構成においては、原稿読取装置から基台を取り外さずに回路基板（インバータ基板）の交換及び回路基板との接続部品を回路基板から取り外すことが可能であり、その時に反射ミラーの反射光路の反対側で回路基板の基台に対する挿脱作業を行うことができるので、反射ミラーへの傷付きを防止できるだけでなく、反射光路の先に近接して位置する第２の走査ユニットの反射部材としての光学部材（第２，第３ミラー）と回路基板との干渉（衝突）が発生せず、前記の光学部材に傷を付ける等のトラブルを防止することができる。
【００１７】
（３）前記基台の基板取付位置には、前記回路基板を仮置きし、かつ、上方より固定部材により前記回路基板を前記基板取付位置に対して固定するための突起部が設けられていることを特徴とする。
【００１８】
この構成においては、挿入された回路基板を第１の走査ユニットの基台の基板取付位置に設けられた突起部に仮置きすることができるので、交換作業性が向上し、また、回路基板下面に別途固定用部材を設けず、基台に直接固定する為、部品点数を削減できる。
【００１９】
（４）前記回路基板を固定するための突起部を前記基台を構成する２壁面より形成し、前記回路基板が前記基台における反射光路の反対側に設けた切欠き部より、前記第１の走査ユニットの前記基台に挿入され、その後、更に上記挿入方向とは異なった方向に前記回路基板が挿入されるように構成したことを特徴とする。
【００２０】
この構成においては、回路基板を基台における反射光路の反対側に設けた切欠き部より、第１の走査ユニットの前記基台に挿入し、その後、更に上記挿入方向とは異なった方向に回路基板を挿入するように構成するので、第２の走査ユニットとは反対側に設置された基台の回路基板（インバータ基板）を固定するための突起部を基台の２壁面で形成することができる。
【００２１】
そのため、突起部の強度が向上し、ユニット走査時の回路基板振動による部品の破損、ミラー振動による読取り画像低下が防止できる（  スライドが１方向の場合、回路基板固定用の突起部は基台の１壁面からしか形成できない。）  。また、回路基板を基台の内部に潜り込ませることができるため、回路基板に実装される電気部品が下側に突出しなくなり、原稿読取装置を薄くコンパクトに形成できる。
【００２２】
（５）前記基台の裏面側に前記回路基板が設けられ、かつ、前記回路基板の下方が開放されていることを特徴とする。
【００２３】
この構成においては、原稿面側から回路基板（インバータ基板）が見えないため、外観を損なわず、また、回路基板下面は開放されているので放熱性もよい。
【００２４】
（６）前記回路基板は裏向き状態にて前記基板取付位置に固定されることを特徴とする。
【００２５】
この構成においては、回路基板（インバータ回路）を裏向きに取り付けることで、基台に回路基板を挿入する時に、回路基板から突出して実装されている電気部品が基台にて擦れて破損し動作不良となるのを防止できる。
【００２６】
（７）前記回路基板は、その電気部品実装側が、露出された状態にて、前記基板取付位置に対して固定されることを特徴とする。
【００２７】
この構成においては、電気部品の実装側にカバー部材を設けずに露出された状態とすることにより、形成される流路に流れる風によって実装された電気部品から発する熱を効率よく奪うことができ冷却効率を高めることができる。特に、第１の走査ユニットが移動する場合には実装された電気部品に直接強い風を当てることができる。
【００２８】
（８）前記基台の前記回路基板と対向する部分には、開口部を設けていることを特徴とする。
【００２９】
この構成においては、基台の回路基板（インバータ基板）と対向する部分に開口部を設けることで回路基板の放熱効率をアップすることができ、特に原稿走査時に走査時に基台に導き入れられた空気が回路基板を通り開口部に抜ける流路を形成することができる。
【００３０】
（９）基台に少なくとも露光ランプと反射ミラーと前記露光ランプを点灯させる回路基板が備えられ、走査手段により原稿を照明しながら走査し、前記原稿からの反射光を前記反射ミラーで光電変換部に導き原稿の画像を読取るように構成される画像読取装置の前記回路基板の装着方法であって、
前記走査手段をメンテナンス位置に移動させた状態にて、前記回路基板を、前記基台における前記反射ミラーの反射側から前記基台に挿入し、前記基台における前記反射ミラーの反射側とは反対側に設けられた基板取付位置に前記回路基板を固定することを特徴とする。
【００３１】
この方法においては、原稿読取装置から基台を取り外さずに、基板取付位置に取り付けられた回路基板（インバータ基板）の交換及び回路基板との接続部品（例えば、コネクタ、ハーネス等）を取り外すことが可能であり、その時に反射ミラーの反射光路の反対側で回路基板の基台に対する挿脱作業を行うことができるので、反射ミラーへの疵付きを防止できる。また、基台そのものを原稿読取装置から取り外さなくても交換作業をおこなうことができるので、原稿面から光電変換部までの光路長が変化しないため、再度、光路長の調整をする必要がない。したがって、作業時間を大幅に短縮できる。
【００３２】
【発明の実施の形態】
以下に、本発明の実施形態に係る原稿読取装置およびその回路基板の装着方法について図面を参照しつつ詳細に説明する。
【００３３】
（実施の形態１）
図１は、原稿読取装置を備えた画像形成装置としてのデジタル複写機１の全体構成を示す。図示のように、デジタル複写機１の上面の透明ガラスからなる原稿台１１１上には、自動原稿搬送装置１１２が備えられている。自動原稿搬送装置１１２は、原稿セットトレイ上にセットされた複数枚の原稿を１枚ずつ自動的に原稿台１１１上へ給送する。原稿読取装置１１０は、原稿台１１１の下部に配置され、原稿台１１１上に載置された原稿の画像を走査して読取り、第１の走査ユニット１１３、第２の走査ユニット１１４、結像レンズ１１５と光電変換素子であるＣＣＤラインセンサ１１６とを有している。
【００３４】
第１の走査ユニット１１３は、原稿面上を露光する露光ランプユニット１１３ａと、原稿からの反射光像を所定の方向に反射させる第１ミラー１１３Ａ等から構成されている。第２の走査ユニット１１４は、第１ミラー１１３Ａから反射されてくる原稿からの反射光を光電変換素子であるＣＣＤラインセンサ（光電変換部）１１６に導く第２ミラー１１４Ｂおよび第３ミラー１１４Ｃより構成されている。
【００３５】
結像レンズ１１５は、原稿からの反射光をＣＣＤラインセンサ１１６上に結像させる。原稿台１１１上の原稿は、後述する搬送用ワイヤーにより第１の走査ユニット１１３を原稿サイズの全域に亘って移動し、第２の走査ユニット１１４は第１の走査ユニット１１３の１／２だけ移動することにより、原稿からＣＣＤラインセンサ１１６までの光路長を一定に保ちつつ読み取られる。
【００３６】
また、読取り部１１０は、自動原稿搬送装置１１２との関連した動作により、自動原稿搬送装置１１２にて自動搬送される原稿の画像を、所定の露光位置にて読取るようになっている。この読取り部１１０にて読取られた原稿画像は、画像データとして図示しない画像データ入力部へと送られ、画像データに対して所定の画像処理が施された後、画像処理部のメモリに一旦記憶され、出力指示に応じてメモリ内の画像を読出して画像形成部２１０の光書込み装置であるレーザ書込みユニット２２７に転送される。
【００３７】
レーザ書込みユニット２２７は、メモリから読出した画像データ、または外部の装置から転送されてきた画像データに応じてレーザ光を出射する半導体レーザ光源、レーザ光を等角速度偏向するポリゴンミラー、等角速度で偏向されたレーザ光が感光体ドラム２２２上において等速度で走査されるように補正するｆ−θレンズなどから構成されている。なお、本実施の形態では、書込み装置としてレーザ書込みユニットを用いているが、ＬＥＤやＥＬ等の発光素子アレイを用いた固体走査型の光書込みヘッドユニットを用いてもよい。
【００３８】
画像形成部２１０は、その他、感光体ドラム２２２の周囲に、感光体ドラム２２２を所定の電位に帯電させる帯電器２２３、感光体ドラム２２２上に形成された静電潜像にトナーを供給して顕像化する現像器２２４、感光体ドラム２２２表面に形成されたトナー像を記録紙に転写する転写器（転写ローラ等）２２５、余分なトナーを回収するクリーニング器２２６、記録紙を除電し感光体ドラム２２２から剥離しやすいようにするための除電器（除電針等）２２９を備えている。画像形成部２１０で画像が転写された記録紙はその後、定着ユニット２１７に送られ画像が記録紙に定着される。
【００３９】
画像形成部２１０の排出側には、上記定着ユニット２１７の他に、記録紙の裏面に再度画像を形成するために記録紙の前後を反転させるスイッチバック路２２１、画像が形成された記録紙に対してステープル処理等を行うとともに昇降トレイ２６１を有する後処理装置２６０を備えている。定着ユニット２１７にてトナー像が定着された記録紙は、必要に応じてスイッチバック路２２１を経て排紙ローラ２１９にて後処理装置２６０へと導かれ、ここで所定の後処理が施された後排出される。
【００４０】
給紙部２７０は、上記画像形成部２１０の下方に配設されており、本体に備えられた手差トレイ２５４、両面ユニット２５５、用紙トレイ２５１と多段給紙部２７０に備えられた給紙トレイ２５２，２５３で構成されている。また、この給紙部２７０には、これらのトレイ２５１，２５２，２５３，２５４から給紙した用紙を画像形成部２１０における転写器が配置された転写位置へと搬送する搬送手段２５０を備えている。
【００４１】
両面ユニット２５５は、記録紙を反転させるスイッチバック路２２１に通じており、記録紙の両面に画像形成を行う時に用いられる。なお、両面ユニット２５５は通常の用紙トレイと交換可能な構成となっており、両面ユニット２５５を通常の用紙カセットに置き換えた構成とすることも可能となっている。
【００４２】
図２は、第１の走査ユニット１１３の構成説明図であり、図２（ａ）は上面側の斜視図であり、図２（ｂ）は下面側の斜視図である。
【００４３】
図示のように、第１の走査ユニット１１３は、原稿面上を露光するランプ１１３ａ、原稿面の照度、照度分布を整えるランプレフ１１３ｂ及びサブレフ１１３ｃ、原稿からの反射光像を所定の方向に反射させる第１ミラー１１３Ａ、ランプ１１３ａを点灯させるインバータ基板（本発明の回路基板）１１３ｅ、インバータ基板１１３ｅに電源を供給するインバータ基板ハーネス１１３ｆ、搬送用ワイヤー１１３ｗ及び１１３ｘとの接続部材１１３ｇ及び１１３ｈ、各部品を取付ける基台１１３ｉ、第１ミラー１１３Ａの固定部材１１３ｊ及び１１３ｋ、固定ネジ１１３ｌ〜１１３ｔから構成されている。なお、ランプ１１３ａとインバータ基板１１３ｅは図示されないハーネスにより接続されている。
【００４４】
基台１１３ｉは樹脂成形品で形成し、量産性を向上させている。その素材としては、耐熱性の高い樹脂材料〔例えば、ＰＢＴ（ポリブチレンテレフタレート）、ＡＢＳ（アクリロニトリルブタジエンスチレン）やＰＣ（ポリカーボネート）等〕にガラス繊維を３０％程度混入させたものを用い、必要強度を保持できるようにしている。なお、基台１１３ｉは、取り付けられるインバータ基板１１３ｅとの間に絶縁措置を講じれば、板金を用いることもできる。
【００４５】
また、基台１１３ｉのインバータ基板１１３ｅに対向する部分には、第１走査ユニット１１３を側方から見た断面図である図３に示すように、原稿走査時に基台１１３ｉの切欠き部Ｃより導き込まれた空気がインバータ基板１１３ｅを冷却して基台１１３ｉの外に流出できるように、複数の開口ｓが設けられている。この開口ｓは、小さな複数の孔で形成されており、インバータ基板１１３ｅの目隠し機能と基台１１３ｉの強度を維持しつつ冷却の機能を奏するように設けられている。
【００４６】
インバータ基板１１３ｅは、基台１１３ｉの下側に配設されるが、実装された電気部品ｐ（ＩＣ，抵抗，ダイオード，コンデンサ，コネクタ等）が下側（基台と対向しない側）になるように、つまり、裏向きに（図示挿入方向Ｍの方向に）挿入され、基台１１３ｉにおける第１ミラー１１３Ａの反射側とは反対側に設けられている基板取付位置に固定される。このように挿入するのは、インバータ基板１１３ｅを装脱する時に、基台１１３ｉの特に挿入用の切欠き部Ｋ（図３参照）によって、出っ張っている電気部品ｐが擦られて損傷を受けることのないようにするためである。
【００４７】
インバータ基板１１３ｅは、基台１１３ｉに対して、第１の走査ユニット１１３の移動方向と平行な方向に固定されると共に、電気部品ｐの実装面側にはカバーを設けておらず下側は露出された状態になっているので、電気部品ｐから発する熱が逃げやすくなり、高い冷却効率を得られ、異常発熱の発生を防止することができる。
【００４８】
そして、上部の開口ｓより発熱した熱が逃げるように流路が形成されるので、第１の走査ユニット１１３および第２の走査ユニット１１４を停止させ原稿を移動させながら読取を行う方式の原稿読取装置（図示せず。）においてもインバータ基板１１３ｅの異常発熱を防止することができる。
【００４９】
特に、本実施の形態のように、第１の走査ユニット１１３および第２の走査ユニット１１４を移動させつつ原稿を走査する方式の原稿読取装置では、露光ランプ１１３ａが点灯している場合には、ほとんど第１走査ユニット１１３が移動しているので、インバータ基板１１３ｅの表面側に風があたり高い冷却効率を得ることができる。
【００５０】
図４（ａ）〜（ｅ）は、樹脂で成形された基台１１３ｉ及びインバータ基板１１３ｅの具体的な形状例を示す。図４（ａ）は第１の走査ユニット１１３の平面図、図４（ｂ）は正面図、図４（ｃ）は底面図、図４（ｄ）は図４（ｃ）のＩ−Ｉ断面図、図４（ｅ）は図４（ｃ）のＨ−Ｈ断面図である。
【００５１】
これらの図に示すように、基台１１３ｉの第２の走査ユニット１１４とは反対側の壁面１１３ｉ１のインバータ基板１１３ｅが取り付けられている側は開放され、基台１１３ｉの裏面側にインバータ基板固定用の突起部１１３ｕ、１１３ｖを図示のように形成し、突起部１１３ｕ、１１３ｖが設けられている基台１１３ｉの基板取付位置の上方は開放されている。
【００５２】
インバータ基板１１３ｅは、第２の走査ユニット１１４とは反対側（  図４のＡ側）  より、第１の走査ユニット１１３に対してスライドさせながら、基台１１３ｉの裏面側に脱着でき、スライド挿入されたインバータ基板１１３ｅは重力により、突起部１１３ｕ、１１３ｖに仮固定され、固定ネジ１１３ｓ及び１１３ｔにより第１の走査ユニット１１３の上方（原稿側）より固定される。
【００５３】
また、インバータ基板１１３ｅが基台１１３ｉの側面に取り出された状態では、インバータ基板１１３ｅを露光するためのランプ１１３ａに接続されているコネクタ及やハーネス１１３ｆを脱着することができる。
【００５４】
このような構成により、インバータ基板１１３ｅ下面に別途固定用部材を設けることなく、第１の走査ユニット１１３を原稿読取装置から取り外さずにインバータ基板１１３ｅの交換が可能となるため、その他の光学部品と位置関係が変化することはなく、読取ライン変化による読取画像歪や、解像度の悪化を招くこともなくなる。
【００５５】
また、基台１１３ｉに設定した基板取付位置に仮置きされたインバータ基板１１３ｅを上方から固定ねじ１１３ｓ，１１３ｔによって固定できるので、作業性も非常によく、インバータ基板１１３ｅを第１の走査ユニット１１３の反射部材裏面に向かって装着、第１及び第２の走査ユニット１１３，１１４に設けられた反射部材から離れる方向に外すため、反射部材への疵付けも防止できる。なお、基台１１３ｉの基板取付位置の両側の固定ねじ１１３ｓ，１１３ｔがねじ込まれる突起部１１３ｕ，１１３ｖの上方は、その上方からドライバーを挿入できるように、開放されている。
【００５６】
更に、原稿面側からインバータ基板１１３ｅが見えない様、第１の走査ユニット１１３の基台１１３ｉの裏面側にインバータ基板１１３ｅが設置されるので、外観を損なわず、また発熱部品であるインバータ基板１１３ｅ下面は開放されているので放熱性もよい。
【００５７】
（実施の形態２）
図５（ａ）〜（ｅ）及び図６は、実施の形態１の基台１１３ｉのインバータ基板固定用の突起部１１３ｕ、１１３ｖの形状を変更し、第２の走査ユニット１１４とは反対側のインバータ基板固定用の突起部１１３ｖの強度を向上した例を示す。図５（ａ）は第１の走査ユニット１１３の平面図、図５（ｂ）は正面図、図５（ｃ）は底面図、図５（ｄ）は図５（ｃ）のＩ−Ｉ断面図、図５（ｅ）は図５（ｃ）のＨ−Ｈ断面図である。
【００５８】
これらの図に示すように、基台１１３ｉの突起部１１３ｕのＢ寸法はインバータ基板１１３ｅのＣ、Ｄ寸法及び突起部１１３ｖのＥ寸法の合計より大きく設定されており、突起部１１３ｖは基台１１３ｉの２壁面（Ｆ、Ｇ）より形成されている。
【００５９】
この場合、インバータ基板１１３ｅの装着は、インバータ基板１１３ｅのＩ辺を突起部１１３ｕのＬ壁に沿わせつつＪ方向にスライド挿入し、その後Ｋ方向にスライドして上部よりネジ固定する。取り外しは逆の操作となる。その他の構成は実施の形態１と同様である。
【００６０】
この構成では、一方の突起部１１３ｖは基台１１３ｉの２壁面（Ｆ、Ｇ）より形成されているため、突起部強度が向上し、ユニット走査時のインバータ基板１１３ｅの振動による部品の破損、読取り画像低下を防止することができる。なお、スライドの方向が１方向である場合（図４の場合）、突起部１１３ｖは、基台１１３ｉの１壁面からしか形成できない。
【００６１】
（実施の形態３）
図７（ａ）〜（ｅ）及び図８（ａ），（ｂ）は、実施の形態２に対し、基台１１３ｉの第２の走査ユニット１１４とは反対側の壁面１１３ｉ１のＮ部をインバータ基板１１３ｅより下方に延長して強度を向上させた例を示す。この場合、図５，図６のＪ方向からはインバータ基板１１３ｅの挿入はできないが、基台１１３ｉのＯ、Ｐ寸法をインバータ基板１１３ｅの幅及び厚みよりも大きく設定することにより、インバータ基板１１３ｅは基台１１３ｉに対し、やや斜めのＭ方向より挿入可能となり、その他は実施の形態２と同様の方法で取付可能となる。
【００６２】
なお、寸法Ｏは、インバータ基板１１３ｅの表面と対向する基台１１３ｉの開口ｓが形成され裏側部分と、インバータ基板１１３ｅの取付部分と、の間の距離を示し、寸法Ｐは、基台１１３ｉにおけるインバータ基板１１３ｅの取付部分における幅方向（図７のＩ−Ｉ方向）の距離を示す。
【００６３】
この構成では、基台１１３ｉの第２の走査ユニット１１４とは反対側の壁面１１３ｉ１  のＮ部がインバータ基板１１３ｅより下方に延長されているため、基台１１３ｉの剛性・強度が向上し、その基台１１３ｉに取り付けられているインバータ基板１１３ｅを保護することができ、更に振動による部品の破損、読取り画像低下を防止することができる。
【００６４】
【発明の効果】
以上の説明から明らかなように、本発明は、以下の効果を奏する。
【００６５】
（１）基台における反射ミラーの反射側とは反対側に、回路基板を固定するための基板取付位置を設け、回路基板を、基台における前記反射ミラーの反射側から前記基板取付位置に挿入して固定するので、原稿読取装置から基台を取り外さずに回路基板（インバータ基板）の交換及び回路基板との接続部品（コネクタ）を回路基板から取り外すことが可能であり、その時に反射ミラーの反射光路の反対側で回路基板の基台に対する挿脱作業を行うことができるので、反射ミラーへの傷付きを防止できる。また、基台を原稿読取装置から取り外さないので原稿面から光電変換部までの光路長が変化しないので、再度、光路長の調整をする必要がない。したがって、作業時間を大幅に短縮できる。
【００６６】
（２）原稿読取装置から基台を取り外さずに回路基板（インバータ基板）の交換及び回路基板との接続部品を回路基板からとり外すことが可能であり、その時に反射ミラーの反射光路の反対側で回路基板の基台に対する挿脱作業を行うことができるので、反射ミラーへの傷付きを防止できるだけでなく、反射光路の先に近接して位置する第２の走査ユニットの光学部材（第２，第３ミラー）と回路基板との干渉（衝突）が発生せず、前記の光学部材に傷を付ける等のトラブルを防止することができる。
【００６７】
（３）挿入された回路基板を第１の走査ユニットの基台の基板取付位置に設けられた突起部に仮置きすることができるので、交換作業性が向上し、また、回路基板下面に別途固定用部材を設けず、基台に直接固定する為、部品点数を削減できる。
【００６８】
（４）回路基板を基台における反射光路の反対側に設けた切欠き部より、第１の走査ユニットの前記基台に挿入し、その後、更に上記挿入方向とは異なった方向に回路基板を挿入するので、第２の走査ユニットとは反対側に設置された基台の回路基板（インバータ基板）を固定するための突起部を基台の２壁面で形成することができる。
【００６９】
そのため、突起部の強度が向上し、ユニット走査時の回路基板振動による部品の破損、ミラー振動による読取り画像低下が防止できる（  スライドが１方向の場合、回路基板固定用の突起部は基台の１壁面からしか形成できない。）  。また、回路基板を基台の内部に潜り込ませることができるため、回路基板に実装される電気部品が下側に突出しなくなり、原稿読取装置を薄くコンパクトに形成できる。
【００７０】
（５）原稿面側から回路基板（インバータ基板）が見えないため、外観を損なわず、また、回路基板下面は開放されているので放熱性もよい。
【００７１】
（６）回路基板（インバータ回路）を裏向きに取り付けることで、基台に回路基板を挿入する時に、回路基板から突出して実装されている電気部品が基台にて擦れて破損し動作不良となるのを防止できる。
【００７２】
（７）電気部品の実装側にカバー部材を設けずに露出された状態とするので、形成される流路に流れる風によって実装された電気部品から発する熱を効率よく奪うことができ冷却効率を高めることができる。特に、第１の走査ユニットが移動する場合には実装された電気部品に直接強い風を当てることができる。
【００７３】
（８）基台の回路基板（インバータ基板）と対向する部分に開口部を設けるので、回路基板の放熱効率をアップすることができ、特に原稿走査時に走査時に基台に導き入れられた空気が回路基板を通り開口部に抜ける流路を形成することができる。
【００７４】
（９）メンテナンス位置にて、原稿読取装置から基台を取り外さずに、基板取付位置に取り付けられた回路基板（インバータ基板）の交換及び回路基板との接続部品（例えば、コネクタ、ハーネス等）を取り外すことが可能であり、その時に反射ミラーの反射光路の反対側で回路基板の基台に対する挿脱作業を行うことができるので、反射ミラーへの疵付きを防止できる。また、基台そのものを原稿読取装置から取り外さなくても交換作業をおこなうことができるので、原稿面から光電変換部までの光路長が変化しないため、再度、光路長の調整をする必要がない。したがって、作業時間を大幅に短縮できる。
【図面の簡単な説明】
【図１】本発明の実施形態に係る原稿読取装置を備えた画像形成装置の構成図である。
【図２】同第１の走査ユニットの構成説明図である。
【図３】同第１の走査ユニットの断面図である。
【図４】同第１の走査ユニットの構成説明図である（実施の形態１）。
【図５】同他の第１の走査ユニットの構成説明図である（実施の形態２）。
【図６】同要部説明図である。
【図７】同別の第１の走査ユニットの構成説明図である（実施の形態３）。
【図８】同図７の部分拡大図である。
【符号の説明】
１１３−第１の走査ユニット
１１３Ａ−反射ミラー
１１３ａ−露光ランプ
１１３ｅ−回路基板
１１３ｉ−基台
１１３ｕ、１１３ｖ−突起部
１１４−第２の走査ユニット
１１４Ｂ，１１４Ｃ−反射部材
１１６−光電変換部
ｓ−開口部
Ｋ−切欠き部
【図１】
2004350207.tif 000003
【図２】
2004350207.tif 000004
【図３】
2004350207.tif 000005
【図４】
2004350207.tif 000006
【図５】
2004350207.tif 000007
【図６】
2004350207.tif 000008
【図７】
2004350207.tif 000009
【図８】
2004350207.tif 000010